(57)【要約】【課題】本発明は、室内で発生する悪臭、タバコの煙、建材由来の化学物質、揮発性有機化学物質などを含む汚染物質の排気補助装置に係り、排気口から離れた位置に設けた排気補助装置からの吹出空気が排気装置の排気口に向かうようにして室内の汚染物質の拡散を促進することにより汚染物質の排気を補助するようにしたものである。【解決手段】吸込口と吹出口を備えファンを内装した排気補助装置を排気口から離れた室内に設け、排気補助装置の吹出口を吹出空気が排気装置の排気口に向かうように形成して室内の汚染物質の拡散を促進することにより汚染物質の排気を補助するようにして、吹出口からの吹出気流の周りの室内の汚染物質がこの気流中に拡散して、排気口から離れた室内の汚染物質濃度を低減し、汚染物質の排気性能を向上させることができる。【選択図】図１
2008190772.tif 000002
【特許請求の範囲】
【請求項１】
汚染物質が発生する室内に汚染空気の排気口を開口し排気ファンにより汚染空気を吸込んで室外に排気する排気装置において、吸込口と吹出口を備えファンを内装した排気補助装置を排気口から離れた室内に設け、排気補助装置の吹出口を吹出空気が排気装置の排気口に向かうように形成して室内の汚染物質の拡散を促進することにより汚染物質の排気を補助するようにしたことを特徴とする汚染物質排気補助装置。
【請求項２】
汚染物質が発生する室内に給気口を開口し給気ファンにより室外空気を給気するとともに汚染空気の排気口を開口し排気ファンにより汚染空気を吸込んで室外に排気する排気装置において、吸込口と吹出口を備えファンを内装した排気補助装置を排気口から離れた室内に設け、排気補助装置の吹出口を吹出空気が排気装置の排気口に向かうように形成して室内の汚染物質の拡散を促進することにより汚染物質の排気を補助するようにしたことを特徴とする汚染物質排気補助装置。
【請求項３】
排気装置の排気口は室内の天井に開口し、排気補助装置は室内の床に設置したことを特徴とする請求項１又は２に記載の汚染物質排気補助装置。
【請求項４】
排気補助装置の吹出口は吹出方向を可動としたことを特徴とする請求項１〜３のいずれかに記載の汚染物質排気補助装置。
【発明の詳細な説明】
【技術分野】
【０００１】
本発明は、室内で発生する悪臭、タバコの煙、建材由来の化学物質、揮発性有機化学物質などを含む汚染物質の排気補助装置、特に排気口から離れた位置に設けた排気補助装置からの吹出空気が排気装置の排気口に向かうようにして室内の汚染物質の拡散を促進することにより汚染物質の排気を補助するようにした汚染物質排気補助装置に関するものである。
【背景技術】
【０００２】
従来、図４及び図５に示す住宅換気システムが知られている（例えば、特許文献１参照）。
図４は各階排気による排気セントラル換気方式の住宅換気システムであり、図４において、４１は２階建ての住宅４２における各階排気による排気セントラル換気方式の住宅換気システムであり、住宅４２は、いわゆる、次世代省エネルギー基準に準拠した気密性能を備える住宅である。図示しないが住宅４２の間取りは、１階部分に居間や食堂等のパブリックスペース及びトイレ、浴室などのダーティゾーンを有し、２階部分には寝室や子供部屋などのプライベートスペースを有する構成となっている。
【０００３】
１階部分の換気が、外壁面に設けた自然給気口４３から１階居室部４４に導入される外気を、ドアアンダーカットなどによる通気経路を介してこの１階居室部４４からホール、廊下、ダーティゾーン等の共用スペース４５に設置した１階排気ファン４６の排気口４７から集中排気するものであり、２階部分の換気が、外壁面に設けた自然給気口４８から各居室４９に導入される外気を、共用スペース４５を介することなく排気ファン５０により居室４９から排気するものである。
なお、図４において、５１は排気口、５２は排気ダクトである。
【０００４】
また、図５は図４と同様な住宅における各室排気による排気セントラル換気方式の住宅換気システムであり、図５において、図４と異なる点は、図４における１階排気ファン４６を共用スペース４５に設置する代わりに、１階部分の各室の換気を行う１階排気ファン５３を設け、各室４４，４５に排気口５４，５５を設けて排気ダクト５６により室外に排気するようにした点である。
なお、図５において、５７，５８は自然給気口、５９は排気口である。
【０００５】
また、従来、図６に示す採光機能付換気装置が知られている（例えば、特許文献２参照）。
図６において、６１は、採光機能付換気装置であり、建物６２の屋根から屋外に貫通して設けた筒状体６３によって換気通路６４を形成し、換気通路６４の屋外側に鎧窓６５を設けた換気口６６を形成し、この換気口６６の内側にモータ駆動の送風機６７を設け、換気通路６４の上部に採光窓６８を設けたものである。
【０００６】
採光機能付換気装置６１は屋内と屋外の間の換気機能と、屋内への採光機能とを備え、筒状体６３の換気通路６４の表面に光反射体６９を設けてある。
筒状体６３は換気通路６４の屋外側通路を送風機６７が配置される通路７０と採光窓６８を設けた通路７１に分岐している。
【０００７】
また、筒状体６３は換気通路６４の屋内側通路も通路７２と通路７３に分岐し、各通路７２，７３を建物６２の２つの居室７４，７５のそれぞれに連通している。
採光機能付換気装置６１は、光反射体６９の基材の表面に、アナターゼ型酸化チタンを含む表面層７６を設けて屋内で発生したＶＯＣを換気の過程で無毒化して屋外に排出し、屋内のＶＯＣ濃度を低減しながら、環境に対する負荷を軽減できるようにしている。
なお、図６において、７７，７８は居室７４，７５に設けた排気口である。
【特許文献１】特開２００２−３２７９４４号  公報
【特許文献２】特開２００２−１８８２５１号  公報
【発明の開示】
【発明が解決しようとする課題】
【０００８】
図４及び図５に示す住宅換気システム４１並びに図６に示す採光機能付換気装置６１は、いずれも換気スペースの強制排気を行うことができるが、排気口から離れた位置における換気が行われ難い問題があった。
すなわち、図４の排気口４７，５１、図５の排気口５１，５４，５５，５９、図６の排気口７７，７８は、何れも換気スペースの排気を吸込んで排気ファン４６，５０，５３，６７により室外に強制排気するようにしているが、排気口に吸込まれる排気は、排気口周りの排気であり、排気口から離れた換気スペースの換気は行われ難かった。
【０００９】
また、換気性能を高めるために排気ファンの性能を高めて排気量を大きくしても、排気ファンによる排気の気流は排気口から離れた位置まで及ばないため排気口から離れた位置での換気性能を高めることは難しかった。
さらに、排気量を大きくすると必要な空気調和能力が増大し省エネルギーに反するという問題もあった。
【００１０】
本発明は、このような従来の構成が有していた問題を解決しようとするものであり、排気口から離れて設けた排気補助装置の吹出口を吹出空気が排気口に向かうように形成して室内の汚染物質の拡散を促進することにより汚染物質の排気を補助することを目的としている。
【課題を解決するための手段】
【００１１】
請求項１に係る本発明は、汚染物質が発生する室内に汚染空気の排気口を開口し排気ファンにより汚染空気を吸込んで室外に排気する排気装置において、吸込口と吹出口を備えファンを内装した排気補助装置を排気口から離れた室内に設け、排気補助装置の吹出口を吹出空気が排気装置の排気口に向かうように形成して室内の汚染物質の拡散を促進することにより汚染物質の排気を補助するようにした汚染物質排気補助装置である。
【００１２】
請求項２に係る本発明は、汚染物質が発生する室内に給気口を開口し給気ファンにより室外空気を給気するとともに汚染空気の排気口を開口し排気ファンにより汚染空気を吸込んで室外に排気する排気装置において、吸込口と吹出口を備えファンを内装した排気補助装置を排気口から離れた室内に設け、排気補助装置の吹出口を吹出空気が排気装置の排気口に向かうように形成して室内の汚染物質の拡散を促進することにより汚染物質の排気を補助するようにした汚染物質排気補助装置である。
【００１３】
請求項３に係る本発明は、請求項１又は２に係る本発明の構成に加え、排気装置の排気口は室内の天井に開口し、排気補助装置は室内の床に設置した汚染物質排気補助装置である。
【００１４】
請求項４に係る本発明は、請求項１〜３のいずれかに係る本発明の構成に加え、排気補助装置の吹出口は吹出方向を可動とした汚染物質排気補助装置である。
【００１５】
本発明による作用を以下に説明する。
本発明の作用は、排気口から離れて設けた排気補助装置の吹出口を吹出空気が排気口に向かうように形成して室内の汚染物質の拡散を促進することにより汚染物質の排気を補助するようにしたから、排気補助装置の吹出口から排気装置の排気口を介して室外まで続く一連の気流を形成することで、この気流における汚染物質濃度が薄くなるとこの気流の周りの室内の汚染物質がこの気流中に拡散して、排気口から離れた室内の汚染物質濃度を低減するのである。
【発明の効果】
【００１６】
請求項１に係る本発明は、汚染物質が発生する室内に汚染空気の排気口を開口し排気ファンにより汚染空気を吸込んで室外に排気する排気装置において、吸込口と吹出口を備えファンを内装した排気補助装置を排気口から離れた室内に設け、排気補助装置の吹出口を吹出空気が排気装置の排気口に向かうように形成して室内の汚染物質の拡散を促進することにより汚染物質の排気を補助するようにしたから、排気補助装置の吹出口から排気装置の排気口を介して室外まで続く一連の気流を形成し、この気流の周りの室内の汚染物質がこの気流中に拡散して、排気口から離れた室内の汚染物質濃度を低減することができ、汚染物質の排気性能を向上させることができる。
また、汚染物質の排気性能を向上させることができるので、排気装置及び排気補助装置の運転時間を少なくしたり、或いは排気装置の排気量を小さくすることができ、必要とする空気調和能力を低減して省エネルギーとすることもできる。
【００１７】
請求項２に係る本発明は、汚染物質が発生する室内に給気口を開口し給気ファンにより室外空気を給気するとともに汚染空気の排気口を開口し排気ファンにより汚染空気を吸込んで室外に排気する排気装置において、吸込口と吹出口を備えファンを内装した排気補助装置を排気口から離れた室内に設け、排気補助装置の吹出口を吹出空気が排気装置の排気口に向かうように形成して室内の汚染物質の拡散を促進することにより汚染物質の排気を補助するようにしたから、気密性能の高い省エネルギーの建物における室内で発生する汚染物質の排気を強制給排気方式により行って、請求項１に係る本発明と同様な効果を奏することができる。
【００１８】
請求項３に係る本発明は、請求項１又は２に係る本発明の効果に加え、排気装置の排気口は室内の天井に開口し、排気補助装置は室内の床に設置したから、汎用されている既存の排気装置に排気補助装置を簡単に付設することができる。
【００１９】
請求項４に係る本発明は、請求項１〜３のいずれかに係る本発明の効果に加え、排気補助装置の吹出口は吹出方向を可動としたから、排気補助装置の吹出口からの吹出空気が排気装置の排気口に向かうように設定することが容易である。
【発明を実施するための最良の形態】
【００２０】
以下、本発明の実施の形態を添付した図面により詳細に説明する。
図１及び図２は、本発明の第一の実施の形態を示す図面であり、図１は概略正面図、図２は概略側面図である。
図３は本発明の第二の実施の形態を示す概略正面図である。
【００２１】
図１及び図２において、１は排気装置、２は排気補助装置、３は病室、４はベッド、５は病人である。
排気装置１は、臭いなどの汚染物質が発生する病室３の天井面１１に汚染空気の排気口１２を開口し、排気ダクト１３の途中に設けた電動機駆動の排気ファン１４により排気口１２から吸込んだ汚染空気を室外に排気するようにしている。１５は排気口１２と一体に形成した排気チャンバー、１６は室外壁面に設けた室外排気口である。
【００２２】
排気補助装置２は、四角柱状の本体２１の下方前面と底面に吸込口２２を備え、上面に設けた吹出円筒部２３の端部に吹出口２４を備え、本体２１に図示しないがファン及びファン用電動機を内装しており、排気装置１の排気口１２から離れた病室３の床１７に設置している。
排気補助装置２の吹出円筒部２３は可撓性部材で形成して吹出口２４の吹出方向を可動にしており、吹出口２４からの吹出空気が排気装置１の排気口１２に向かう吹出気流２５を形成するようにしている。
【００２３】
排気装置１及び排気補助装置２の運転は連動して行うようにしており、運転開始及び停止は適宜の臭いセンサー（図示せず）で自動運転を行うのであり、排気装置１の排気ファン１４は速度可変としており、センサーの濃度検知出力に対応させて運転開始及び停止並びに排気ファン１４の速度の調節をするようにしている。
そして、吹出口２４からの吹出空気が排気口１２に向かうように吹出気流２５を形成して、病室３で発生する臭いなどの汚染物質の拡散を促進することにより汚染物質の排気を補助するようにし、排気補助装置２の吹出口２４から排気装置１の排気口１２を介して室外まで続く一連の気流を形成することで、この病室３の吹出気流２５における汚染物質濃度が薄くなるとこの吹出気流２５の周りの病室３の汚染物質がこの吹出気流２５中に拡散して、排気口１２から離れた病室３の汚染物質濃度を低減するのである。
【００２４】
なお、図１及び図２において、１８は窓で自然給気開口部を備えており、１９はドアでドアアンダーカットを備えており、排気装置１の排気口１２から室外に排気される排気に見合う給気は窓１８の自然給気開口部及びドア１９のドアアンダーカットなどによる隙間開口部から自然給気されるようになっている。
【００２５】
本発明の第一の実施の形態に係る汚染物質排気補助装置は、以上のように構成しており、以下に、本発明の第一の実施の形態に係る汚染物質排気補助装置の作用について説明する。
センサーの濃度検知出力が運転開始の設定値以上となると排気装置１及び排気補助装置２が運転を開始し、排気補助装置２の吹出口２４からの吹出空気が排気装置１の排気口１２に向かい排気ダクト１３等を介して室外排気口１６から室外に排気される一連の気流が形成され、病室３におけるこの吹出気流２５に窓１８やドア１９から自然給気され、吹出気流２５中の汚染物質濃度が低減し、吹出気流２５における汚染物質濃度が薄くなるとこの吹出気流２５の周りの病室３の汚染物質がこの吹出気流２５中に拡散して、排気口１２から離れた病室３の汚染物質濃度を低減するのである。そして、センサーの濃度検知出力に応じて排気装置の１の排気ファン１４の速度を調節するとともに、センサーの濃度検知出力が運転停止の設定値となると排気装置１及び排気補助装置２の運転を停止するのである。
【００２６】
以上の第一の実施の形態では、排気口１２を天井面１１に設けたが、壁面に設けてもよい。
また、排気補助装置２を床３４に設置したが、排気口１２から離れた室内であれば壁面に設置してもよく、天井から吊り下げるようにしてもよい。
【００２７】
排気補助装置２を排気口１２から離れた位置に設置するのは、吹出口２４から排気口１２までの吹出気流２５をできるだけ長くとり、この吹出気流２５により病室３における汚染物質の拡散をできるだけ促進させるためである。
排気補助装置２の吹出口２４は可撓性の吹出円筒部２３により吹出口２４の吹出方向を可動としたが、吹出口に案内羽根を設けて吹出方向を可動としてもよい。
また、排気補助装置２の吹出口２４は吹出方向を可動としたが、排気補助装置２と排気口１２の位置関係から、吹出口からの吹出空気が排気口１２に向かうように形成して吹出方向が固定の吹出口としてもよい。
【００２８】
排気装置１及び排気補助装置２の運転開始及び停止は、センサーによる自動運転としたが、操作スイッチによる手動運転としてもよい。
第一の実施の形態では、汚染物質排気補助装置を病室に適用したが、病室に限らず汚染物質が発生し、汚染物質の排気が必要となるところであれば一般住宅などどのような室内でも適用することができる。
【００２９】
次に、本発明の第二の実施の形態を図３に基づき説明する。
第二の実施の形態は、第一の実施の形態に、さらに室外空気を給気ファンにより病室に強制給気を行うようにしたものである。
【００３０】
図３において、臭いなどの汚染物質が発生する病室３の天井面１１に２個の給気口３１を開口し、給気ダクト３２の途中に設けた電動機駆動の給気ファン３３により室外給気口３４から吸込んだ室外空気を病室３に給気するようにしている。３５は各給気口３１と一体に形成した給気チャンバーである。
そして、給気ファン３３の運転は、排気装置１及び排気補助装置２の運転と連動させるようにしている。
【００３１】
この第二の実施の形態は、上記強制給気方式を付加した点を除き、第一の実施の形態と同じであるので、その説明を省略する。
【図面の簡単な説明】
【００３２】
【図１】本発明の第一の実施の形態を示す概略正面図。
【図２】本発明の第一の実施の形態を示す概略側面図。
【図３】本発明の第二の実施の形態を示す概略正面図。
【図４】従来の住宅換気システムを示す図。
【図５】従来の住宅換気システムを示す図。
【図６】従来の採光機能付換気装置を示す図。
【符号の説明】
【００３３】
１    排気装置
２    排気補助装置
１２  排気口
１４  排気ファン
２２  吸込口
２４  吹出口
３１  給気口
３３  給気ファン
【図１】
2008190772.tif 000003
【図２】
2008190772.tif 000004
【図３】
2008190772.tif 000005
【図４】
2008190772.tif 000006
【図５】
2008190772.tif 000007
【図６】
2008190772.tif 000008